(57)【要約】【課題】リセット端子の誤動作を防止し、正常に駆動する。【解決手段】パネル側リセット端子９とチップ側リセット端子１４とを接続する信号配線１９を、液晶表示パネル２と液晶駆動用ＩＣチップ５との間に位置する露出部２０と、液晶駆動用ＩＣチップ５の下側において引き回されて露出部２０より長く形成されている被覆部２１とにより構成した。【選択図】　　　　　図１
2004004356.tif 000002
【特許請求の範囲】
【請求項１】
液晶駆動用ＩＣチップが液晶表示パネルを構成する透明基板上に搭載され、前記液晶表示パネルにパネル側リセット端子が配設され、前記液晶駆動用ＩＣチップにチップ側リセット端子が配設され、前記パネル側リセット端子と前記チップ側リセット端子とが信号配線によって接続されている液晶表示装置において、前記信号配線が、前記液晶駆動用ＩＣチップに被覆されない位置において引き回される露出部と、前記液晶駆動用ＩＣチップに被覆される位置において引き回される被覆部とにより構成され、前記被覆部の配線寸法が前記露出部の配線寸法より長いことを特徴とする液晶表示装置。
【請求項２】
前記信号配線の露出部が、前記液晶表示パネルと前記液晶駆動用ＩＣチップとの間にのみ位置するように形成され、直線形状に形成されていることを特徴とする請求項１に記載の液晶表示装置。
【発明の詳細な説明】
【０００１】
【発明の属する技術分野】
本発明は液晶表示装置に係り、特に液晶表示パネルを構成する透明基板上に直接液晶駆動用ＩＣチップが搭載されている液晶表示装置に関する。
【０００２】
【従来の技術】
従来より、中間に液晶を充填した一対の透明基板の所定の部分に、選択的に電界を与えて特定の図形や文字等の情報を表示するための液晶表示装置がコンピュータや携帯電話等の表示装置として多く用いられている。
【０００３】
このような液晶表示装置は、リセット信号を送信して前記液晶表示装置の設定を電源を入れた直後の状態にするためにリセット信号を受信して液晶表示パネルのリセット動作を行うリセット端子を有しており、前記リセット端子は、一般に液晶表示装置の電源をＯＮにするときおよび電源をＯＦＦにするときに用いられている。
【０００４】
図２は、従来の液晶表示装置の要部を示す平面図であり、図２に示すように、前記液晶表示装置３１の液晶表示パネル３２が有する一対の透明基板３３のうち一方の透明基板３３ａは、他方の透明基板３３ｂと比較して大きく形成されており、この大きく形成された一方の透明基板３３ａの突出部分３４には、液晶駆動用ＩＣチップ３５が搭載されている。
【０００５】
また、前記一対の透明基板３３の相互に対向する面であって液晶表示パネル３２として表示を行う表示部には、それぞれ複数の透明電極３７が並列して配設されており、前記各透明電極３７における突出部分３４側の一端部は、それぞれ電極端子３８とされている。
【０００６】
さらに、前記突出部分３４における突出方向の一端部分には、複数の透明電極３６が配設されており、これら透明電極３６のうち最も端側に形成された透明電極３６の表示部側の一端部はパネル側リセット端子３９とされ、他の透明電極３６の表示部側の一端部は接続端子４１とされている。
【０００７】
また、前記液晶駆動用ＩＣチップ３５を構成するＩＣチップ本体４２には、前記各透明電極３７の電極端子３８に対応する複数の出力端子４５が配設されているとともに、前記各透明電極３６の接続端子４１に対応する複数の入力端子４３および前記パネル側リセット端子３９に対応するチップ側リセット端子４４が配設されており、各出力端子４５、各入力端子４３およびチップ側リセット端子４４の端部には、それぞれ図示しないバンプが形成されている。
【０００８】
そして、前記各電極端子３８と前記各出力端子４５のバンプとは、直線状の信号配線４７によってそれぞれ接続されているとともに、前記各接続端子４１と前記各入力端子４３のバンプおよび前記パネル側リセット端子３９と前記チップ側リセット端子４４のバンプとは、直線状の信号配線４８，４９によってそれぞれ接続されている。さらに、前記各透明電極３６は、フレキシブル配線基板５２等に形成されたバス配線（図示せず）を介して図示しないプリント回路基板に接続されていた。
【０００９】
【発明が解決しようとする課題】
しかし、前述のような液晶表示装置３１においては、前記パネル側リセット端子３９と前記チップ側リセット端子４４のバンプとを接続する信号配線４９の電気抵抗値は、例えば５０〜１００Ω程度の低い値となり、このため、前記信号配線４９に静電気等の高い電圧が印加された場合、チップ側リセット端子４４が誤動作してしまうことがあった。この結果、液晶表示装置３１の駆動時であってリセット信号が送信されていない場合であっても、前記静電気等のノイズをリセット信号と誤信して、液晶表示パネル３２の設定を電源を入れた直後の状態に戻してしまうという問題を有していた。
【００１０】
本発明はこれらの点に鑑みてなされたものであり、リセット端子の誤動作を防止し、正常に駆動する液晶表示装置を提供することを目的とする。
【００１１】
【課題を解決するための手段】
前記目的を達成するため、請求項１に記載の発明に係る液晶表示装置は、液晶駆動用ＩＣチップが液晶表示パネルを構成する透明基板上に搭載され、前記液晶表示パネルにパネル側リセット端子が配設され、前記液晶駆動用ＩＣチップにチップ側リセット端子が配設され、前記パネル側リセット端子と前記チップ側リセット端子とが信号配線によって接続されている液晶表示装置において、前記信号配線が、前記液晶駆動用ＩＣチップに被覆されない位置において引き回される露出部と、前記液晶駆動用ＩＣチップに被覆される位置において引き回される被覆部とにより構成され、前記被覆部の配線寸法が前記露出部の配線寸法より長いことを特徴とする。
【００１２】
この請求項１に記載の発明によれば、信号配線は、液晶駆動用ＩＣチップの下側に形成されており、従来の信号配線と比較して長く形成されているので、これにより前記信号配線の抵抗値は高い値となる。このため、静電気等のノイズが前記信号配線に印加されてしまった場合であっても、このノイズをリセット信号と誤信してしまうことを防止することができる。
【００１３】
また、請求項２に記載の発明は、前記信号配線の露出部が、前記液晶表示パネルと前記液晶駆動用ＩＣチップとの間にのみ位置するように形成され、直線形状に形成されていることを特徴とする。
【００１４】
この請求項２に記載の発明によれば、信号配線は、前記信号配線の露出部が直線状に形成され、前記信号配線の被覆部が引き回されることにより長く形成されているので、前記信号配線が外部からノイズの影響を受ける露出部の範囲を狭くすることができる。
【００１５】
【発明の実施の形態】
以下、本発明に係る液晶表示装置の実施形態を図１を参照して説明する。
【００１６】
図１は、本実施形態の液晶表示装置の要部を示す平面図であり、図１に示すように、本液晶表示装置１を構成する液晶表示パネル２は、一対の透明基板３を有する。これら一対の透明基板３のうち一方の透明基板３ａは他方の透明基板３ｂと比較して大きく形成されており、この一方の透明基板３ａにおける大きく形成された突出部分４には、前記液晶表示パネル２を駆動させるための液晶駆動用ＩＣチップ５が搭載されている。
【００１７】
また、前記一対の透明基板３の相互に対向する面における表示部には、複数の透明電極７が配設されており、前記各透明電極７における突出部分４側の一端部は、電極端子８とされている。さらに、前記各透明電極７の相互に対向する面には、配向膜（図示せず）が配設されている。
【００１８】
また、前記各透明基板３の相互に対向する面であって前記各透明基板３の周縁部分には、シール材１０が施されており、前記各透明基板３はこのシール材１０によって一体に形成されている。さらに、このシール材１０に囲まれた内部には、図示しないスペーサおよび液晶が封入されている。
【００１９】
さらに、前記突出部分４における突出方向の一端部分には、複数の透明電極６が配設されており、これら透明電極６のうち最も端側に形成された透明電極６の表示部側の一端部はパネル側リセット端子９とされ、他の透明電極６の表示部側の一端部は接続端子１１とされている。
【００２０】
また、前記液晶駆動用ＩＣチップ５を構成するＩＣチップ本体１２には、前記各透明電極７の電極端子８に対応する複数の出力端子１５が配設されているとともに、前記各透明電極６の接続端子１１に対応する複数の入力端子１３および前記パネル側リセット端子９に対応するチップ側リセット端子１４が配設されている。さらに、各出力端子１５、各入力端子１３およびリセット端子１４の端部には、それぞれバンプ２３，２４，２５が形成されている。
【００２１】
そして、前記各電極端子８と前記各出力端子１５のバンプ２３、前記各接続端子１１と前記各入力端子１３のバンプ２４、および前記パネル側リセット端子９と前記チップ側リセット端子１４のバンプ２５とは、それぞれ信号配線１７，１８，１９を介して電気的に接続されている。これら信号配線１７，１８，１９のうち前記各電極端子８と前記各出力端子１５のバンプ２３とを接続する各信号配線１７および前記各接続端子１１と前記各入力端子１３のバンプ２４とを接続する各信号配線１８は、直線状に形成されている。
【００２２】
一方、前記パネル側リセット端子９と前記チップ側リセット端子１４のバンプ２５とを接続する信号配線１９は、前記パネル側リセット端子９の先端部から前記液晶駆動用ＩＣチップ５の方向に直線状に伸びる露出部２０と、前記液晶駆動用ＩＣチップ５の下側において曲折されながら露出部２０の配線長さよりも長く引き回されて前記バンプ２５に接続される被覆部２１とにより形成されている。また、前記信号配線１９の幅寸法は、接続端子１１と入力端子１３とを接続する各信号配線１８の幅寸法と比較して細く形成されている。これにより、前記信号配線１９は、その抵抗値が５ＫΩ〜１ＭΩ、好ましくは１０ＫΩ〜１００ＫΩ程度の高い値となるように形成されている。
【００２３】
ここで、信号配線１９を５ＫΩ〜１ＭΩに設定するのは、抵抗値が５ＫΩより低い場合には、低い電圧のノイズが信号配線１９に印加された場合であってもこのノイズをリセット信号と誤信してしまうおそれがあるからである。一方、抵抗値が１ＭΩよりも高い場合には、前記信号配線１９をより長く形成しなければならず、この場合、チップ側リセット端子１４からパネル側リセット端子９に送信されるリセット信号のタイミングがずれてしまいリセット信号を正確に送信することができなくなってしまうおそれがあるからである。
【００２４】
さらに、前記各透明電極６は、フレキシブル配線基板２２等に形成されたバス配線（図示せず）を介して図示しないプリント回路基板に接続されている。
【００２５】
次に、本実施形態の作用について説明する。
【００２６】
本実施形態においては、前記パネル側リセット端子９と前記チップ側リセット端子１４とを接続する信号配線１９は、液晶駆動用ＩＣチップ５の下側において曲折されながら引き回されて形成されているので、従来の信号配線と比較して長く形成されており、これにより前記信号配線１９の抵抗値は、高い値となる。このため、静電気等のノイズが前記信号配線１９に印加されてしまった場合であっても、このノイズをリセット信号と誤信してしまうことを防止することができる。
【００２７】
また、前記信号配線１９の長さ寸法を長く形成するにあたり、前記信号配線１９の露出部２０は直線状に形成され、前記信号配線１９の被覆部２１は曲折されながら露出部２０より長く引き回されて形成されているので、前記信号配線１９のうち外部からノイズの影響を受け易い露出部２０の範囲を狭くすることができる。
【００２８】
さらに、前記信号配線１９の幅寸法は細く形成されているので、前記信号配線１９の抵抗値をより短い長さ寸法によって低い値とすることができる。
【００２９】
したがって、静電気等のノイズをリセット信号と誤信してしまうことを防止することができるので、チップ側リセット端子１４の誤動作を防止することができ、これにより、液晶表示装置１の駆動中にリセット動作を行っていないにもかかわらず液晶表示パネル２の表示が突然電源を入れた直後の状態に戻ってしまうということを防止し、前記液晶表示装置１を正常に駆動させることができる。
【００３０】
また、前記信号配線１９のうち外部からノイズの影響を受け易い露出部２０の範囲を狭くすることができるので、よりチップ側リセット端子１４の誤動作を防止し、液晶表示装置１を正常に駆動させることができる。
【００３１】
さらに、前記信号配線１９の抵抗値をより短い長さ寸法によって低い値とすることができるので、前記信号配線１９を複雑な形状に引き回す必要はなく、容易に形成することができる。
【００３２】
なお、本発明は前記実施形態に限定されるものではなく、必要に応じて種々変更することが可能である。
【００３３】
例えば、本実施形態においてパネル側リセット端子９とチップ側リセット端子１４とを接続する信号配線１９の露出部２０は、直線状に形成されているが、これに限定されず曲折して形成されていてもよい。
【００３４】
また、前記信号配線１９は、前記チップ側リセット端子１４の先端部から液晶駆動用ＩＣチップ５の方向に伸びた後、液晶駆動用ＩＣチップ５の下側において引き回されてバンプに接続されるまで液晶駆動用ＩＣチップ５から露出されないが、これに限定されるものではない。但し、信号配線１９のうち液晶駆動用ＩＣチップ５から露出する部分は外部からのノイズの影響を受けやすいので、液晶駆動用ＩＣチップ５の下側で引き回されている方が好ましい。
【００３５】
さらに、信号配線１９の幅寸法は、細く形成されているが、これに限定されるものではなく、信号配線１８は、その抵抗値が５ＫΩ〜１ＭΩとなるように形成されるものであればよい。
【００３６】
【発明の効果】
以上述べたように、請求項１に記載の発明に係る液晶表示装置によれば、静電気等のノイズをリセット信号と誤信してしまうことを防止することができるので、リセット端子の誤動作を防止することができる。これにより、液晶表示装置の駆動中にリセット動作を行っていないにもかかわらず液晶表示パネルの表示が突然電源を入れた直後の状態に戻ってしまうということを防止し、液晶表示装置を正常に駆動させることができる。
【００３７】
また、請求項２に記載の発明に係る液晶表示装置によれば、信号配線が外部からノイズの影響を受ける信号配線の露出部の範囲を狭くすることができるので、よりリセット端子の誤動作を防止し、液晶表示装置を正常に駆動させることができる。
【図面の簡単な説明】
【図１】本発明に係る液晶表示装置の一実施形態を示す平面図
【図２】従来の液晶表示装置の一実施形態を示す平面図
【符号の説明】
１　液晶表示装置
２　液晶表示パネル
３ａ，３ｂ　透明基板
４　突出部分
５　液晶駆動用ＩＣチップ
７　透明電極
８　電極端子
９　パネル側リセット端子
１３　出力端子
１４　チップ側リセット端子
１７　信号配線
１８　信号配線
１９　信号配線
２０　露出部
２１　被覆部
【図１】
2004004356.tif 000003
【図２】
2004004356.tif 000004